(57)【要約】【課題】  カウンタウェイトの重量を調整する必要がある場合において、既にカウンタウェイトケース内のウェイトを積載するスペースがないときは、これ以上、カウンタウェイトの重量を増やすことができず、昇降路内レイアウトを再検討する必要があった。【解決手段】  サブウェイト２１を、カウンタシーブ２０の上部かつカウンタシーブ２０に巻きかけられたロープ４間に挟まれた空間に設けることにより、昇降路内レイアウトやかご形状の設計変更することなく、必要に応じて簡単にカウンタウェイトの総重量を変更することができる。【選択図】  図１
2005082386.tif 000002
【特許請求の範囲】
【請求項１】
昇降路に設けられ、かご用ガイドレールに沿って昇降するかごと、
前記かごとロープを介して懸架され、カウンタウェイト用ガイドレールに沿って昇降するカウンタウェイトとを有するエレベータであって、
前記カウンタウェイトが、ウェイトを積載するカウンタケースと、
前記カウンタケースに設けられ、前記ロープが巻き掛けられるカウンタシーブと、
前記カウンタシーブの上部かつ前記カウンタシーブに巻き掛けられた前記ロープ間に配置され、前記カウンタケースと連結しているサブウェイトと、
によって構成されていることを特徴としたエレベータのカウンタウェイト。
【請求項２】
前記カウンタシーブと前記カウンタケース間に配置され、前記カウンタケースと連結している第２サブウェイトとを具備することを特徴とした請求項１記載のエレベータのカウンタウェイト。
【請求項３】
前記サブウェイトの上部かつ前記カウンタケースの下部に設けられ、前記かごと前記カウンタウェイトがすれ違う際の風音の影響を抑える整風カバーを具備することを特徴とした請求項１又は請求項２記載のエレベータのカウンタウェイト。
【請求項４】
前記サブウェイトが、前記サブウェイトの長手方向に対する両端に、前記ロープの接触を回避するための切り欠きを設けたことを特徴とした請求項１乃至請求項３のいずれか一項に記載のエレベータのカウンタウェイト。
【請求項５】
前記サブウェイトは、着脱可能であることを特徴とした請求項１乃至請求項３のいずれか一項に記載のエレベータのカウンタウェイト。
【発明の詳細な説明】
【技術分野】
【０００１】
本発明は、かごと吊り合わせるために昇降路に配置されたエレベータのカウンタウェイトに関する。
【背景技術】
【０００２】
一般に、エレベータのカウンタウェイトでは、カウンタケースのスペース内における一部のおもりまたは液体を着脱可能にすることにより、カウンタウェイトの総重量を調整していた。また、カウンタケースの外側に着脱可能なおもりを付加することにより、カウンタウェイトの総重量を調整していた(例えば、特許文献１参照。)。
【０００３】
従来のエレベータのカウンタウェイトの構成について、図２２〜図２４を参照して説明する。図２２は、従来のエレベータの全体図、図２３は、従来のエレベータのカウンタウェイトの正面図、図２４は従来のエレベータのカウンタケース内のウェイト取り外し作業の正面図である。
【０００４】
まず、従来のエレベータの全体図を説明する。
【０００５】
図２２に示すように、従来のエレベータのカウンタウェイト１は昇降路２内にあるかご３とロープ４を介してつるべ式に連結し、かご３の重量を補償している。また、かご用ガイドレール５およびカウンタウェイト用ガイドレール６が、カウンタウェイト１およびかご３に摺動可能に係合し、昇降路２内に設けられている。さらに、ブレーキ機構を有する巻上機７が昇降路２の上部の機械室８に設けられている。また、カウンタウェイト１は、かご３の重さと定格積載荷重の半分の重さとを合計した重さに設定されている。
【０００６】
ここで、このカウンタウェイト１は、図２３に示すように、カウンタケース９、カウンタケース９に積み込まれるウェイト１０、ウェイト１０の上に着脱可能に設置された着脱ウェイト１０aから構成されている。また、着脱ウェイト１０aは、ボルト１１によって、ウェイト１０に固定されている。
【０００７】
次に、従来のエレベータの動作とカウンタウェイトの重量調整を説明する。
【０００８】
従来のエレベータでは、巻上機７を駆動することにより、巻上機７に懸架されたロープ４に連結しているかご３およびカウンタウェイト１が昇降される。この際、かご用ガイドレール５がかご３の水平方向の移動を規制し、カウンタウェイト用ガイドレール６がカウンタウェイト１の水平方向の移動を規制して、昇降路内の他の機器や昇降路壁とかごおよびカウンタウェイトとの接触・干渉を防止している。
【０００９】
また、図２４に示すように、万一、定格積載荷重の半分の重さより少ない積載量のかご３が停電した状態において、最上階より上部に停止した場合には、まず巻上機７のブレーキを開放する。すると、かご３が昇降路最上部の移動限界まで上昇し、カウンタウェイト１は昇降路最下部の移動限界まで下降する。
【００１０】
ここで、作業者１２は最下階乗場から昇降路最下端面に降り、昇降路最下部に下降したカウンタウェイト１のカウンタケース９内の着脱ウェイト１０aに取りつけているボルト
１１を外し、続けて着脱ウェイト１０aを取り外す。そして、カウンタウェイト１の質量
をかご３の質量よりも軽くする。
【００１１】
その後、巻上機７のブレーキを開放すると、かご３の方がカウンタウェイト１よりも重いので、かご３は下方に移動し、カウンタウェイト１は上方に移動する。
【００１２】
以上のように、カウンタウェイト１がかご３より重くなった場合では、着脱ウェイト１０aを作業者１２がカウンタケース３内から取り外すことにより、かご３を近くの階まで
移動させていた。
【特許文献１】実開平７−９８８０号公報(第５−６頁、図１)
【発明の開示】
【発明が解決しようとする課題】
【００１３】
しかしながら、上記のエレベータのカウンタウェイトには次の問題点があった。
【００１４】
それは、かごにオプション等をとりつけたためにカウンタウェイトの重量を変更する必要が生じた等のカウンタウェイトの重量を調整する必要がある場合において、既にカウンタウェイトケース内のウェイトを積載するスペースがないときは、これ以上、カウンタウェイトの重量を増やすことができなかった。
【００１５】
そのため、従来のカウンタウェイトでは、カウンタウェイトのカウンタケース内にウェイトを積載するためのスペースを確保するために、昇降路内レイアウトを再検討するか、かご重量を軽量化する必要があった。
【００１６】
そこで、本発明は、上記従来の問題点を解決するためになされたもので、カウンタシーブ上部に着脱可能なサブウェイトを設けることにより、昇降路内レイアウトやかご形状の設計変更することなく、必要に応じてウェイトを変更することが可能なカウンタウェイトを提供することを目的とする。
【課題を解決するための手段】
【００１７】
上記の目的を達成するために、本発明のエレベータのカウンタウェイトは、「昇降路に設けられ、かご用ガイドレールに沿って昇降するかごと、前記かごとロープを介して懸架され、カウンタウェイト用ガイドレールに沿って昇降するカウンタウェイトと、前記カウンタウェイトを構成し、ウェイトを積載するカウンタケースと、前記カウンタケースに設けられ、前記ロープが巻き掛けられるカウンタシーブと、前記カウンタシーブの上部かつ前記カウンタシーブに巻きかけられた前記ロープ間に配置され、前記カウンタケースと連結しているサブウェイトとを具備することを」特徴としている。
【発明の効果】
【００１８】
本発明のエレベータのカウンタウェイトによれば、カウンタケースを上下方向に寸法拡大できない場合にも、昇降路内レイアウトやかご形状の設計変更することなく、必要に応じてカウンタウェイトの総重量を変更することができる。
【発明を実施するための最良の形態】
【００１９】
以下、図面を参照して、本発明の実施の形態を説明する。
【実施例１】
【００２０】
本発明のエレベータのカウンタウェイトの実施例１について、図１〜図７を参照して説明する。
【００２１】
図１は、本発明のエレベータ全体の斜視図、図２は、本発明の実施例１に係るエレベータのカウンタウェイトの斜視図、図３(a)、(b)、(c)は、本発明の実施例１に係る
エレベータのカウンタウェイトのサブウェイトプレート２１a、２１b、２１cの上面図、
図４は、本発明の実施例１に係るエレベータのカウンタウェイトのサブウェイトの図２中のA−A’線で切り欠いた縦断面図、図５は、本発明の実施例１に係るエレベータのカウンタウェイトの図２中のB−B’線で切り欠いた横断面図、図６は、本発明の実施例１に係るエレベータのカウンタウェイトのサブウェイトの図２中のC−C’線で切り欠いた横断面図、図７は、本発明の実施例１に係るエレベータのカウンタウェイトの図２中のD−D’線で切り欠いた縦断面図である。
【００２２】
まず、本発明のエレベータのカウンタウェイトの構成を説明する。
【００２３】
図１に示すように、本発明の実施例１に係るエレベータのカウンタウェイト１は、昇降路２内にあるかご３とロープ４を介してつるべ式に連結し、かご３の重量を補償している。また、かご用ガイドレール５およびカウンタウェイト用ガイドレール６が、カウンタウェイト１およびかご３に摺動可能に係合し、昇降路２内に設けられている。
【００２４】
さらに、ブレーキ機構を有する巻上機７が昇降路２内のかご用ガイドレール６の上部に設けられ、かご３を昇降させている。また、カウンタウェイト１は、かご３の重さと定格積載荷重の半分の重さとを合計した重さに設定されている。
【００２５】
次に、本発明のエレベータのカウンタウェイト１の構成を図２を参照して説明する。
【００２６】
図２に示すように、本発明のエレベータのカウンタウェイト１は、カウンタケース９、カウンタケース９に積み込まれるウェイト１０、かご３からのロープ４が巻かれるカウンタシーブ２０、サブウェイト２１から構成されている。
【００２７】
ここで、カウンタケース９にはウェイト１０が積み込まれており、ウェイト１０をカウンタケース９から着脱することにより、カウンタウェイト１の総重量を調整することができるようになっている。
【００２８】
また、カウンタシーブ２０は、図６で示すように、カウンタケース９の上面に取りつけられた２枚の手前側ブラケット９a、奥側ブラケット９bにかけ渡すように設けられた軸２２によって支えられ、手前側ブラケット９a、奥側ブラケット９bを介してカウンタケース９に固定されている。
【００２９】
また、カウンタシーブ２０は、かご３とカウンタウェイト１を懸架するロープ４が巻かれている。また、カウンタケース９の側面にはカウンタ用ガイドレール５と係合して摺動するガイドシュー２３が上下左右4ヶ所に設けられており、このガイドシュー２３により
、カウンタウェイト１はカウンタウェイト用ガイドレール５にガイドされながら昇降路２を上下移動する。
【００３０】
さらに、サブウェイト２１の構成について、図２〜図７を参照して説明する。
【００３１】
図２に示すように、サブウェイト２１は、１枚目プレート２１a、２枚目プレート２１
ｂ、複数枚の３枚目以降プレート２１cによって構成されている。
【００３２】
ここで、１枚目プレート２１a、２枚目プレート２１ｂ、複数枚の３枚目以降プレート
２１cのプレートについて図３を参照して説明する。
【００３３】
図３(a)に示すように、サブウェイト２１の１枚目プレート２１aは、その角に４つのプレート間固定ねじ穴３１が設けられ、さらに、そのプレート間固定ねじ穴３１の周りには、プレート間固定ねじやま３２が設けられている。また、ロープ４による接触を防ぐための切り欠き２６が、1枚目プレート２１aにおける長手方向の両端に設けられている。さらに、1枚目プレート２１aの中央部分には、手前側サブウェイト固定ねじ穴３３aと奥側
サブウェイト固定ねじ穴３３bが設けられている。
【００３４】
次に、図３(b)に示すように、サブウェイト２１の２枚目プレート２１bは、その角に４つのプレート間固定ねじ穴３１が設けられており、その２枚目プレート２１bにおける
長手方向の両端には、切り欠き２６が設けられている。また、２枚目プレート２１bの中
央部分には、手前側２枚目プレートボルト頭穴３５aと奥側２枚目プレートボルト頭穴３
５bが設けられている。
【００３５】
最後に、図３(c)に示すように、サブウェイトプレート２１の３枚目以降プレート２
１cは、その角に４つのプレート間固定ねじ穴３１が設けられ、その３枚目以降プレート
２１cにおける長手方向の両端には、ロープ４の接触を防ぐための切り欠き２６が設けら
れている。
【００３６】
ここで、サブウェイト２１内の１枚目プレート２１a、２枚目プレート２１b、３枚目以降プレート２１cの係合状態について、図４を参照して説明する。
【００３７】
図２のA−A’断面図である図４をみると、サブウェイト２１の１枚目プレート２１a
と２枚目プレート２１bと３枚目以降プレート２１cは、各サブウェイトプレートに設けられた４つのプレート間固定ねじ穴３１にプレート固定用ボルト２５aを、１枚目プレート
２１aから３枚目以降プレート２１cに貫通するように通す。
そのとき、１枚目プレート２１aのプレート間固定ねじやま３２に、プレート固定用ボ
ルト２５aを螺合させる。これにより、プレート固定用ボルト２５aが、１枚目プレート２１aに固定される。
【００３８】
また、３枚目以降プレート２１cから上向きに貫通したプレート固定用ボルト２５aは、３枚目以降プレート２１c上部にて、ナット２５bで締めつけ固定される。これにより、各サブウェイトプレート間は固定される。
【００３９】
また、サブウェイト２１の１枚目プレート２１aとサブウェイト２１の２枚目プレート
２１bとを重ねた場合に、２枚目プレート２１bに手前側２枚目プレートボルト頭穴３５a
、奥側２枚目プレートボルト頭穴３５bが設けられているため、ブロック材固定用ボルト
２７が障害にならない。そのため、各プレートを重ねることができる。
【００４０】
以上のように、１枚目プレート２１a、２枚目プレート２１b、３枚目以降プレート２１cを係合している。
【００４１】
また、サブウェイト２１、手前側ブロック材２４a又は奥側ブロック材２４b、手前側ブラケット９a又は奥側ブラケット９bの係合状態について図５〜図７を参照して説明する。
【００４２】
図２のB−B’断面図である図５に示すように、手前側ブロック材２４a、奥側ブロッ
ク材２４bには、それぞれ、手前側サブウェイト固定ねじ穴３３a、奥側サブウェイト固定ねじ穴３３bが２つずつ設けられている。
【００４３】
また、図２のC−C’断面図である図６に示すように、手前側ブラケット９a、奥側ブ
ラケット９bには、それぞれ、手前側サブウェイト固定ねじ穴３３a、奥側サブウェイト固定ねじ穴３３bが２つずつ設けられ、その各ねじあな３３a、３３bの周りに、手前側サブ
ウェイト固定ねじやま３４a、奥側サブウェイト固定ねじやま３４bが設けられている。
【００４４】
ここで、その手前側サブウェイト固定ねじ穴３３a、奥側サブウェイト固定ねじ穴３３bの大きさは、図３(a)、図４における手前側サブウェイト固定ねじ穴３３a、奥側サブウェイト固定ねじ穴３３bの大きさと同様である。また、手前側サブウェイト固定ねじやま
３４a、奥側サブウェイト固定ねじやま３４bは、図7でのブロック材固定用ボルト２７と
螺合可能である。
【００４５】
ここで、図２のD−D’断面図である図７で示すように、サブウェイト２１の１枚目プレート２１aと手前側ブロック材２４aと手前側ブラケット９aは、図３(a)、図４、図５の手前側サブウェイト固定ねじ穴３３aを通して、ブロック材固定用ボルト２７を貫通さ
せるように通し、図６での手前側サブウェイト固定ねじやま３４aに螺合させる。
【００４６】
同様に、サブウェイト２１の１枚目プレート２１aと奥側ブロック材２４bと奥側ブラケット９bは、図３(a)、図４、図５の奥側サブウェイト固定ねじ穴３３bを通して、プレ
ート固定用ボルト２５aを貫通させるように通し、図５での奥側サブウェイト固定ねじや
ま３４bに螺合させる。
【００４７】
以上により、サブウェイト２１をカウンタケース９に対して固定をしている。
【００４８】
上記構成のエレベータのカウンタウェイトにおいては、巻上機７を駆動することにより、巻上機７に懸架されたロープ４に連結しているかご３およびカウンタウェイト１が昇降される。この際、かご用ガイドレール５がかご３の水平方向の移動を規制し、カウンタウェイト用ガイドレール６がカウンタウェイト１の水平方向の移動を規制して、昇降路内の他の機器や昇降路壁とかごおよびカウンタウェイトとの接触・干渉を防止している。
【００４９】
ここで、カウンタウェイト１の総重量を増やす必要がある場合には、作業員(図示せず)は、まずナット２５ｂを外す。
【００５０】
次に、増やす重量に相当する３枚目以降プレート２１cの枚数を、現在重ねている３枚
目以降プレート２１cの上に重ねる。そのとき、重ねる３枚目以降プレート２１cは、プレート間固定ねじ穴３１にプレート固定用ボルト２５aに通す。
【００５１】
最後に、再び、ナット２５bで締めつけ固定する。
【００５２】
一方、カウンタウェイト１の総重量を減らす必要がある場合には、作業者は、まずナット２５ｂを外す。
【００５３】
次に、減らす重量に相当する３枚目以降プレート２１cの枚数を、現在重ねている３枚
目以降プレート２１cから取り外す。
【００５４】
最後に、再び、ナット２５bで締めつけ固定する。
【００５５】
以上の手順により、ナット２５ｂを外すだけで、カウンタウェイト１の総重量を容易に調整することができる。
【００５６】
本発明の実施例１に係るエレベータのカウンタウェイトによれば、サブウェイトを、カウンタウェイトのカウンタシーブ上部かつカウンタシーブに巻き掛けているロープに挟まれた空間に設けることにより、昇降路の省スペース化に伴ってカウンタケースを上下方向に寸法拡大できない場合でも、昇降路内レイアウトやかご形状の設計変更することなく、必要に応じてカウンタウェイトの総重量を変更することができる。
【００５７】
また、サブウェイトの長手方向に対する両端に切り欠きを設けることにより、カウンタシーブに巻きかえられているロープの触れ幅に関係なく、サブウェイトの幅を拡大することが可能となり、サブウェイトの重量を増加させることができる。
【００５８】
また、サブウェイトを複数枚のプレートで構成し、サブウェイトの１枚目プレートのプレート間固定ねじやまにプレート固定用ボルトを固定し、各プレートどうしをボルトとナットで着脱可能に固定していることにより、ナットを外すだけで、簡単にカウンタウェイトの重量を調整することができる。
【００５９】
そして、カウンタケースを用いる場合と比べて、コストや製作時間を削減させることができる。
【００６０】
さらに、サブウェイトを、カウンタウェイトのカウンタシーブ上部でのロープに挟まれたスペースに設けることにより、サブウェイトが昇降路の上部から落下してくる埃や塵がたまることを防ぎ、シーブカバーの役割も果たす。
【００６１】
そして、作業員がカウンタシーブにまきこまれることを防ぐ役割も果たす。
【実施例２】
【００６２】
本発明のエレベータのカウンタウェイトの実施例２について、図８〜図１３を参照して説明する。
【００６３】
図８は、本発明の実施例２に係るエレベータのカウンタウェイトの斜視図、図９は、本発明の実施例２に係るエレベータのカウンタウェイトのサブウェイトの図８中のD−D’線で切り欠いた縦断面図、図１０は、本発明の実施例２に係るエレベータのカウンタウェイトのサブウェイトの図８中のE−E’線で切り欠いた縦断面図、図１１は、本発明の実施例２に係るエレベータのカウンタウェイトのサブウェイトの図８中のF―F’線で切り欠いた横断面図、図１２(a)、(b)、(c)は、本発明の実施例２に係るエレベータの
カウンタウェイトのサブウェイトプレート４１a、４１b、４１cの上面図、図１３は、本
発明の実施例２に係るエレベータのカウンタウェイトのサブウェイトの図８中のA−A’線で切り欠いた縦断面図である。
【００６４】
なお、以下の各実施の形態において、実施例１と同一構成要素には同一符号を付して詳しい説明は省略する。
【００６５】
図８に示すように、カウンタシーブ２０とカウンタケース９とカウンタ用ガイドレール５の間におけるスペースには、第２サブウェイト４１が設けられている。
【００６６】
また、図８中のD−D’線で切り欠いた縦断面図である図９に示すように、第２サブウェイト４１は、手前側ブラケット９aと奥側ブラケット９bの間に挟まれて配置されており、カウンタシーブ２０に触れないようにカウンタケース９に固定されている。
【００６７】
ここで、第２サブウェイト４１、手前側ブロック材２４a又は奥側ブロック材２４bとカウンタケース９の係合状態について図９〜図１１を参照して説明する。
【００６８】
図８のＥ−Ｅ’断面図である図１０に示すように、手前側ブロック材２４a、奥側ブロ
ック材２４bは、手前側ブラケット９aと奥側ブラケット９bの間に配置されている。そし
て、手前側ブロック材２４a、奥側ブロック材２４bそれぞれについて、手前側サブウェイト固定ねじ穴３３a、奥側サブウェイト固定ねじ穴３３bが２つずつ設けられている。
【００６９】
また、図８のＦ−Ｆ’断面図である図１１に示すように、カウンタケース９の上部には、手前側サブウェイト固定ねじ穴３３aと奥側サブウェイト固定ねじ穴３３bが２つずつ設けられ、その各ねじあな３３a、３３bの周りに、手前側サブウェイト固定ねじやま３４a
、奥側サブウェイト固定ねじやま３４bが設けられている。また、手前側サブウェイト固
定ねじやま３４a、奥側サブウェイト固定ねじやま３４bは、図９でのブロック材固定用ボルト２７と螺合可能である。
ここで、図８のD−D’断面図である図９で示すように、第２サブウェイト４１の１枚目プレート４１aと手前側ブロック材２４a又は奥側ブロック材２４bとカウンタケース９
は、手前側サブウェイト固定ねじ穴３３aを通して、ブロック材固定用ボルト２７を貫通
させるように通し、図１１での手前側サブウェイト固定ねじやま３３a、奥側サブウェイ
ト固定ねじやま３３bに螺合させる。
【００７０】
以上により、第２サブウェイト４１をカウンタケース９に対して固定をしている。
【００７１】
さらに、第２サブウェイト４１の構成を図１２と図１３を参照して説明する。
【００７２】
図８に示すように、第２サブウェイト４１は、１枚目プレート４１a、２枚目プレート
４１ｂ、複数枚の３枚目以降プレート４１cによって構成されている。
【００７３】
ここで、１枚目プレート４１a、２枚目プレート４１ｂ、複数枚の３枚目以降プレート
４１cのプレートについて図１２を参照して説明する。
【００７４】
図１２(a)に示すように、第２サブウェイト４１の１枚目プレート４１aは、その角に４つのプレート間固定ねじ穴３１が設けられ、さらに、そのプレート間固定ねじ穴３１の周りには、プレート間固定ねじやま３２が設けられている。また、1枚目プレート４１aの中央部分には、手前側サブウェイト固定ねじ穴３３aと奥側サブウェイト固定ねじ穴３３bが設けられている。ここで、本発明の実施例１における１枚目プレート２１aに具備され
ていた切り欠き２６は、設けられていない。
【００７５】
次に、図１２(b)に示すように、第２サブウェイト４１の２枚目プレート４１bは、その角に４つのプレート間固定ねじ穴３１が設けられている。そして、２枚目プレート４１bの中央部分には、手前側２枚目プレートボルト頭穴３５aと奥側２枚目プレートボルト
頭穴３５bが設けられている。ここで、本発明の実施例１における２枚目プレート２１bに具備されていた切り欠き２６は、設けられていない。
【００７６】
最後に、図１２(c)に示すように、サブウェイトプレート２１の３枚目以降プレート
４１cは、その角に４つのプレート間固定ねじ穴３１が設けられている。ここで、本発明
の実施例１における３枚目以降プレート４１cに具備されていた切り欠き２６は、設けら
れていない。
【００７７】
さらに、第２サブウェイト４１内の１枚目プレート４１a、２枚目プレート４１b、３枚目以降プレート４１cの係合状態について、図１３を参照して説明する。
【００７８】
図８のA−A’線で切り欠いた縦断面図である図１３に示すように、第２サブウェイト４１の１枚目プレート４１aと２枚目プレート４１bと３枚目以降プレート４１cは、各サ
ブウェイトプレートに設けられた４つのプレート間固定ねじ穴３１にプレート固定用ボルト２５aを１枚目プレート４１aから３枚目以降プレート４１cに貫通するように通す。
【００７９】
そのとき、１枚目プレート４１aのプレート間固定ねじやま３２に、プレート固定用ボ
ルト２５aを螺合させる。これにより、プレート固定用ボルト２５aが、１枚目プレート４１aに固定される。
【００８０】
また、３枚目以降プレート４１cから上向きに貫通したプレート固定用ボルト２５aは、３枚目以降プレート４１c上部にて、ナット２５bで締めつけ固定される。これにより、各サブウェイトプレート間は固定される。
【００８１】
また、第２サブウェイト４１の１枚目プレート４１aと２枚目プレート４１bとを重ねた場合に、２枚目プレート４１bに手前側２枚目プレートボルト頭穴３５a、奥側２枚目プレートボルト頭穴３５bが設けられているため、ブロック材固定用ボルト２７が障害になら
ずに各プレートを重ねることができる。
【００８２】
以上のように、１枚目プレート４１a、２枚目プレート４１b、３枚目以降プレート４１cを係合している。
【００８３】
上記構成のエレベータのカウンタウェイトにおいては、カウンタウェイト１の総重量を増やす必要がある場合には、作業員はまず、第２サブウェイト４１のナット２５bを外す
。
【００８４】
次に、第２サブウェイト４１において、増やす重量に相当する３枚目以降プレート４１cの枚数を、現在重ねている３枚目以降プレート４１cの上に重ねる。そのとき、重ねる
３枚目以降プレート４１cは、プレート間固定ねじ穴３１にプレート固定用ボルト２５aに通す。
【００８５】
最後に、再び、第２サブウェイト４１のナット２５bで締めつけ固定する。
【００８６】
さらに、第２サブウェイト４１を積み込むスペースが無くなった場合でカウンタウェイト１の総重量を増やす場合には、まず、サブウェイト２１のナット２５bを外す。
【００８７】
次に、サブウェイト２１において、作業員は増やす重量に相当する３枚目以降プレート２１cの枚数を、現在重ねている３枚目以降プレート２１cの上に重ねる。そのとき、重ねる３枚目以降プレート２１cは、プレート間固定ねじ穴３１にプレート固定用ボルト２５aに通す。
【００８８】
最後に、再び、サブウェイト２１のナット２５bで締めつけ固定する。
【００８９】
一方、カウンタウェイト１の総重量を減らす必要がある場合には、作業員は、まず、サブウェイト２１のナット２５bを外す。
【００９０】
次に、サブウェイト２１において、減らす重量に相当する３枚目以降プレート２１cの
枚数を、現在重ねている３枚目以降プレート２１cから取り外す。
【００９１】
最後に、再び、サブウェイト２１のナット２５bで締めつけ固定する。
【００９２】
さらに、サブウェイト２１をすべて取り外した場合でカウンタウェイトの総重量を減らす場合には、第２サブウェイト４１において、作業員は、まず、第２サブウェイト４１のナット２５bを外す。
【００９３】
次に、第２サブウェイト４１において、減らす重量に相当する３枚目以降プレート４１cの枚数を、現在重ねている３枚目以降プレート４１cから取り外す。
【００９４】
最後に、再び、第２サブウェイト４１のナット２５bで締めつけ固定する。
【００９５】
以上の手順により、セカンドウェイト２１と第２サブウェイト４１のナット２５bを外
すだけで、カウンタウェイト１の総重量を調整することができる。
【００９６】
本発明の実施例２に係るエレベータのカウンタウェイトによれば、サブウェイトをカウンタウェイトのカウンタシーブ上部かつカウンタシーブに巻きかえられたロープに挟まれた空間に設け、第２サブウェイトをカウンタシーブ下部かつカウンタケースの間の空間に設けることにより、昇降路の省スペース化に伴ってカウンタケースを上下方向に寸法拡大できない場合でも、昇降路内レイアウトやかご形状の設計変更することなく、必要に応じてカウンタウェイトの総重量を変更することができる。
【００９７】
また、第２サブウェイトを設けることにより、サブウェイトのみを設けた場合よりもカウンタウェイトの重心の高さが低くなり、カウンタウェイトが安定する。
【００９８】
また、サブウェイトと第２セカンドウェイトを複数枚のプレートで構成し、サブウェイトと第２セカンドウェイトの１枚目プレートと１枚目プレートのプレート間固定ねじやまにプレート固定用ボルトを固定し、各プレートどうしをボルトとナットで着脱可能に固定していることにより、サブウェイトと第２セカンドウェイトのナットを外すだけで、簡単にカウンタウェイトの重量を調整することができる。
【００９９】
そして、カウンタケースを用いる場合と比べて、コストや製作時間を削減させることができる。
【０１００】
さらに、サブウェイトを、カウンタウェイトのカウンタシーブ上部でのロープに挟まれたスペースに設けることにより、サブウェイトが昇降路の上部から落下してくる埃や塵がたまることを防ぎ、シーブカバーの役割も果たす。
【０１０１】
そして、作業員がカウンタシーブにまきこまれることを防ぐ役割も果たす。
【実施例３】
【０１０２】
本発明のエレベータのカウンタウェイトの実施例３について、図１４〜図２１を参照して説明する。
【０１０３】
図１４は、本発明の実施例３に係るエレベータのカウンタウェイトの斜視図、図１５は、本発明の実施例３に係るエレベータのカウンタウェイトの上部整風カバーの上面図、図１６は、本発明の実施例３に係るエレベータのカウンタウェイトの上部整風カバーの断面図、図１７は、本発明の実施例３に係るエレベータのカウンタウェイトの下部整風カバーの下面図、
図１８は、本発明の実施例３に係るエレベータのカウンタウェイトの上部整風カバーの断面図、図１９は、本発明の実施例３に係るエレベータのカウンタウェイトの図１４中のG−G’線で切り欠いた横断面図、図２０は、本発明の実施例３に係るエレベータのカウンタウェイトのサブウェイトの図１４中のA−A’線で切り欠いた縦断面図、図２１は、本発明の実施例３に係るエレベータのカウンタウェイトのサブウェイトの図１４中のD−D’線で切り欠いた縦断面図である。
【０１０４】
図１４に示すように、整風カバー５１である上部整風カバー５１aおよび下部整風カバ
ー５１bがサブウェイト２１の上部及びカウンタケース９の下部にそれぞれ設けられてい
る。
【０１０５】
ここで、上部整風カバー５１aについて、図１５と図１６を参照して説明する。
【０１０６】
図１５に示すように、上部整風カバー５１aは、その角に４つのプレート間固定ねじ穴
３１が設けられている。
【０１０７】
また、ロープ４による接触を防ぐための切り欠き２６が、上部整風カバー５１aにおけ
る長手方向の両端に設けられている。
【０１０８】
さらに、図１６に示すように、上部整風カバー５１aは、断面が三角形となっており、
図１４に示すように、カウンタウェイト１の正面から背面にかけて上がるように上部整風カバー５１aの上面が傾斜して取りつけられている。
【０１０９】
次に、下部整風カバー５１bについて、図１７と図１８を参照して説明する。
【０１１０】
図１７に示すように、下部整風カバー５１bは、その角に４つの整風カバー固定ねじ穴
５２aが設けられている。
【０１１１】
また、図１８に示すように、下部整風カバー５１bも断面が三角形となっており、図１
４に示すように、カウンタウェイト１の正面から背面にかけて下がるように下部整風カバー５１bの下面が傾斜して取りつけられている。
【０１１２】
さらに、図１９に示すように、カウンタケース９の下面には、その角に４つの整風カバー固定ねじ穴５２aと整風カバー固定ねじやま５２bが設けられている。
【０１１３】
次に、上部整風カバー５１aとサブウェイト２１との係合状態を図２０と図２１を参照
して説明する。
【０１１４】
図１４中のA−A’線で切り欠いた縦断面図である図２０、図１４中のD−D’線で切り欠いた縦断面図である図２１に示すように、サブウェイト２１の１枚目プレート２１a
と２枚目プレート２１bと３枚目以降プレート２１c、３枚目以降プレート２１cの上部に
載せられた上部整風カバー５１aは、各サブウェイトプレートに設けられた４つのプレー
ト間固定ねじ穴３１にプレート固定用ボルト２５aを１枚目プレート２１aから上部整風カバー５１aに貫通するように通す。
【０１１５】
そのとき、１枚目プレート２１aのプレート間固定ねじやま３２に、プレート固定用ボ
ルト２５aを螺合させる。これにより、プレート固定用ボルト２５aが、１枚目プレート２１aに固定される。
【０１１６】
また、上部整風カバー５１aから上向きに貫通したプレート固定用ボルト２５aは、上部整風カバー５１aの上部にて、ナット２５bで締めつけ固定される。以上から、上部整風カバー５１aはサブウェイト２１と固定されている。
【０１１７】
さらに、下部整風カバー５１bとカウンタケース９の係合状態を説明する。
【０１１８】
まず、下部整風カバー５１bの整風カバー固定ねじ穴５２aに対して、整風カバー固定用ボルト５３を、その下面から上面に貫通して通す。
【０１１９】
そして、貫通した整風カバー固定用ボルト５３を、カウンタケース９の下面に設けられた整風カバー固定ねじやま５２bと螺合させる。以上から、下部整風カバー５１bはカウンタケース９と固定されている。
【０１２０】
上記構成のエレベータのカウンタウェイトにおいては、カウンタウェイト１の総重量を増やす必要がある場合には、作業員はまず、上部整風カバー５１aのナット２５bを外し、上部整風カバー５１aを取り除く。
【０１２１】
次に、増やす重量に相当する３枚目以降プレート２１cの枚数を、現在重ねている３枚
目以降プレート２１cの上に重ねる。そのとき、重ねる３枚目以降プレート２１cは、プレート間固定ねじ穴３１にプレート固定用ボルト２５aに通す。
【０１２２】
最後に、再び、ナット２５bで締めつけ固定する。
【０１２３】
一方、カウンタウェイト１の総重量を減らす必要がある場合には、作業者は、まずナット２５ｂを外す。
【０１２４】
次に、減らす重量に相当する３枚目以降プレート２１cの枚数を、現在重ねている３枚
目以降プレート２１cから取り外す。
【０１２５】
最後に、再び、ナット２５bで締めつけ固定する。
【０１２６】
以上の手順により、ナット２５bを外すだけで、カウンタウェイト１の総重量を調整す
ることができる。
【０１２７】
本発明の実施例３に係るエレベータのカウンタウェイトによれば、サブウェイトを、カウンタウェイトのカウンタシーブ上部かつカウンタシーブに巻きかけられたロープに挟まれた空間に設けることにより、昇降路の省スペース化に伴ってカウンタケースを上下方向に寸法拡大できない場合でも、昇降路内レイアウトやかご形状の設計変更することなく、必要に応じてカウンタウェイトの総重量を変更することができる。
【０１２８】
また、サブウェイトの上部及びカウンタケースの下部に整風カバーを設けることにより、カウンタウェイトとかごがすれ違う際に発生する騒音の影響を抑えることができ、乗客は快適にエレベータを利用できる。
【０１２９】
また、サブウェイトの長手方向に対する両端に切り欠きを設けることにより、カウンタシーブに巻きかけられたロープの触れ幅に関係なく、サブウェイトの幅を拡大することが可能となり、サブウェイトの重量を増加させることができる。
【０１３０】
また、サブウェイトを複数枚のプレートで構成し、サブウェイトの１枚目プレートのプレート間固定ねじやまにプレート固定用ボルトを固定し、各プレートどうしをボルトとナットで着脱可能に固定していることにより、ナットを外すだけで、簡単にカウンタウェイトの重量を調整することができる。
【０１３１】
そして、カウンタケースを用いる場合と比べて、コストや製作時間を削減させることができる。
【０１３２】
さらに、整風カバーを、カウンタウェイトのカウンタシーブ上部でのロープに挟まれたスペースに設けることにより、整風カバーが昇降路の上部から落下してくる埃や塵がたまることを防ぎ、シーブカバーの役割も果たす。
【０１３３】
そして、作業員がカウンタシーブにまきこまれることを防ぐ役割も果たす。
【０１３４】
なお、本発明は、上記した各実施の形態には限定されず、種々変形して実施できることは言うまでもない。例えば、サブウェイトのプレート枚数が１０枚になっているが、これに限るものではなく、例えば２０枚でもよい。
【図面の簡単な説明】
【０１３５】
【図１】本発明のエレベータ全体の斜視図。
【図２】本発明の実施例１に係るエレベータのカウンタウェイトの斜視図。
【図３】本発明の実施例１に係るエレベータのカウンタウェイトのサブウェイトプレート２１a、２１b、２１cの上面図。
【図４】本発明の実施例１に係るエレベータのカウンタウェイトのサブウェイトの図２中のA−A’線で切り欠いた縦断面図。
【図５】本発明の実施例１に係るエレベータのカウンタウェイトのサブウェイトの図２中のB−B’線で切り欠いた横断面図。
【図６】本発明の実施例１に係るエレベータのカウンタウェイトのサブウェイトの図２中のC−C’線で切り欠いた横断面図。
【図７】本発明の実施例１に係るエレベータのカウンタウェイトのサブウェイトの図２中のD−D’線で切り欠いた縦断面図。
【図８】本発明の実施例２に係るエレベータのカウンタウェイトの斜視図。
【図９】本発明の実施例２に係るエレベータのカウンタウェイトのサブウェイトの図８中のD−D’線で切り欠いた縦断面図。
【図１０】本発明の実施例２に係るエレベータのカウンタウェイトのサブウェイトの図８中のE−E’線で切り欠いた縦断面図。
【図１１】本発明の実施例２に係るエレベータのカウンタウェイトのサブウェイトの図８中のF−F’線で切り欠いた横断面図。
【図１２】本発明の実施例２に係るエレベータのカウンタウェイトのサブウェイトプレート４１a、４１b、４１cの上面図。
【図１３】本発明の実施例２に係るエレベータのカウンタウェイトのサブウェイトの図８中のA−A’線で切り欠いた縦断面図。
【図１４】本発明の実施例３に係るエレベータのカウンタウェイトの斜視図。
【図１５】本発明の実施例３に係るエレベータのカウンタウェイトの上部整風カバーの上面図。
【図１６】本発明の実施例３に係るエレベータのカウンタウェイトの上部整風カバーの断面図。
【図１７】本発明の実施例３に係るエレベータのカウンタウェイトの下部整風カバーの下面図。
【図１８】本発明の実施例３に係るエレベータのカウンタウェイトの上部整風カバーの断面図。
【図１９】本発明の実施例３に係るエレベータのカウンタウェイトの図１４中のG−G’線で切り欠いた横断面図。
【図２０】本発明の実施例３に係るエレベータのカウンタウェイトのサブウェイトの図１３中のA−A’線で切り欠いた縦断面図。
【図２１】本発明の実施例３に係るエレベータのカウンタウェイトのサブウェイトの図１３中のD−D’線で切り欠いた縦断面図。
【図２２】従来のエレベータの全体図。
【図２３】従来のエレベータのカウンタウェイトの正面図。
【図２４】従来のエレベータのカウンタケース内のウェイト取り外し作業の正面図。
【符号の説明】
【０１３６】
１…カウンタウェイト
２…昇降路
３…かご
４…ロープ
５…かご用ガイドレール
６…カウンタウェイト用ガイドレール
７…巻上機
８…機械室
９…カウンタケース
９a…手前側ブラケット
９b…奥側ブラケット
１０…ウェイト
１０a…着脱ウェイト
１１…ボルト
１２…作業員
２０…カウンタシーブ
２１…サブウェイト
２１a…１枚目プレート
２１b…２枚目プレート
２１c…３枚目以降プレート
２２…軸
２３…ガイドシュー
２４…ブロック材
２４a…手前側ブロック材
２４b…奥側ブロック材
２５a…プレート固定用ボルト
２５b…ナット
２６…切り欠き
２７…ブロック材固定用ボルト
３１…プレート間固定ねじ穴
３２…プレート間固定ねじやま
３３a…手前側サブウェイト固定ねじ穴
３３b…奥側サブウェイト固定ねじ穴
３４a…手前側サブウェイト固定ねじやま
３４b…奥側サブウェイト固定ねじやま
３５a…手前側２枚目プレートボルト頭穴
３５b…奥側２枚目プレートボルト頭穴
４１…第２サブウェイト
４１a…１枚目プレート
４１b…２枚目プレート
４１c…３枚目以降プレート
５１…整風カバー
５１a…上部整風カバー
５１b…下部整風カバー
５２a…整風カバー固定ねじ穴
５２b…整風カバー固定ねじやま
５３…整風カバー固定用ボルト
【図１】
2005082386.tif 000003
【図２】
2005082386.tif 000004
【図３】
2005082386.tif 000005
【図４】
2005082386.tif 000006
【図５】
2005082386.tif 000007
【図６】
2005082386.tif 000008
【図７】
2005082386.tif 000009
【図８】
2005082386.tif 000010
【図９】
2005082386.tif 000011
【図１０】
2005082386.tif 000012
【図１１】
2005082386.tif 000013
【図１２】
2005082386.tif 000014
【図１３】
2005082386.tif 000015
【図１４】
2005082386.tif 000016
【図１５】
2005082386.tif 000017
【図１６】
2005082386.tif 000018
【図１７】
2005082386.tif 000019
【図１８】
2005082386.tif 000020
【図１９】
2005082386.tif 000021
【図２０】
2005082386.tif 000022
【図２１】
2005082386.tif 000023
【図２２】
2005082386.tif 000024
【図２３】
2005082386.tif 000025
【図２４】
2005082386.tif 000026